(57)【特許請求の範囲】
【請求項１】
外部機器とネットワーク接続する接続手段と、
前記接続手段で接続された前記外部機器から相互制御可能規格に対応しているか否かを示す規格対応情報および前記外部機器の機種を特定する機器種別情報を受信する受信手段と、
前記受信手段で受信した前記規格対応情報および前記機器種別情報を前記外部機器ごとに対応付けて記録する記録手段と、
表示手段に表示する映像情報の出力元として、前記接続手段に接続されている前記外部機器からいずれかを選択する選択手段と、
前記選択手段により特定の外部機器が選択された場合、前記特定の外部機器の映像情報を予め設定された第１の映像調整値および第１の画面調整値で前記表示手段に表示制御する制御手段と、
を有することを特徴とするテレビジョン受像機。
【請求項２】
前記制御手段は、前記選択手段により特定の外部機器以外の外部機器が選択された場合、前記特定の外部機器以外の外部機器の映像情報を予め設定された第２の映像調整値および第２の画面調整値で前記表示手段に表示制御することを特徴とする請求項１記載のテレビジョン受像機。
【請求項３】
前記制御手段は、前記表示手段に前記特定の外部機器が出力する映像情報を表示する場合、前記映像情報とともに前記特第１の映像調整値で前記映像情報を表示している旨を表示することを特徴とする請求項２記載のテレビジョン受像機。
【請求項４】
前記制御手段は、前記選択手段により前記外部機器の中から特定の外部機器としてＰＣが選択された場合、前記第１の映像調整値および前記第１の画面調整値で前記表示手段に表示することを特徴とする請求項３記載のテレビジョン受像機。
【請求項５】
前記接続手段はＨＤＭＩ規格に準拠した通信方式であることを特徴とする請求項１記載のテレビジョン受像機。
【請求項６】
前記第１の画面調整値はジャストスキャンモードであり、前記第２の画面調整値はオーバースキャンモードであることを特徴とする請求項４記載のテレビジョン受像機。
【請求項７】
ネットワークで接続された外部機器から相互制御可能規格に対応しているか否かを示す規格対応情報および前記外部機器の機種を特定する機器種別情報を受信し、
前記受信手段で受信した前記規格対応情報および前記機器種別情報を前記外部機器ごとに対応付けて記録し、
表示する映像情報の出力元として、前記外部機器から特定の外部機器が選択された場合、前記特定の外部機器の映像情報を予め設定された特定の映像調整値および特定の画面調整値で表示する、
ことを特徴とするテレビジョン表示方法。
【発明の詳細な説明】
【技術分野】
【０００１】
本発明は、接続された外部機器から各種情報を取得するテレビジョン受像機、テレビジョン表示方法に関する。
【背景技術】
【０００２】
周知のように、近年では、テレビジョン放送のデジタル化が推進されている。例えば、日本国内においては、ＢＳ（broadcasting satellite）デジタル放送及び１１０度ＣＳ（communication satellite）デジタル放送等の衛星デジタル放送だけでなく、地上デジタル放送も開始されている。これらを受信するテレビジョン受像機は、ＰＣ、モバイル機器、ＡＶ機器等がネットワークを介して接続されている。また、テレビジョン受像機とＨＤＭＩ（high definition multimedia interface）端子を介して接続されたＣＥＣ（consumer electronics control）対応の外部機器は、リモコン等でテレビジョン受像機に対して操作することでも連動して動作する。
【０００３】
このような、テレビジョン受像機の多機能化に従って、テレビジョン受像機にＰＣを接続して、ＰＣが出力する映像情報をテレビジョン受像機の大画面に表示してユーザが視聴する生活様式が広まりつつある。
【０００４】
特許文献１には、ＰＣと接続されたテレビジョン受像機にＰＣの画面を表示する場合、テレビジョン受像機の表示を制御するために必要な設定に関する情報を取得し、ＰＣに接続されたテレビジョン受像機の表示状況をユーザに確認させるためのダイアログをテレビジョン受像機へ表示する構成が開示されている。
【特許文献１】特開２００６−１０７０１４号公報
【発明の開示】
【発明が解決しようとする課題】
【０００５】
しかしながら、特許文献１では、ユーザは、テレビジョン受像機で表示するＰＣの出力映像について、どのような表示形式で出力するのかを確認するダイアログを表示するものである。そのため、ユーザは、少なからずテレビジョン受像機にＰＣの出力映像を最適に表示するための操作をする必要があるといった問題があった。
【０００６】
テレビジョン受像機は、映像再生機器を接続して表示することを目的として、映像調整値および画面調整値が設定されている。そのため、テレビジョン受像機にＰＣが接続され、テレビジョン受像機でＰＣの出力映像を表示した場合、その表示画面はＰＣの出力映像の表示には最適ではない。そのため、ユーザは、手動で最適な映像調整値および画面調整値を設定する必要があり、煩雑な操作を必要とする。
【０００７】
本発明は、上記事情を鑑みてなされたものであって、目的とするところは、ＰＣを接続して、その入力に切り換えた場合、自動でＰＣの出力映像を最適な映像調整値および画面調整値に切り換えて表示することができるテレビジョン受像機を提供することにある。
【課題を解決するための手段】
【０００８】
上記課題を解決し目的を達成するために、本発明のテレビジョン受像機は、外部機器とネットワーク接続する接続手段と、前記接続手段で接続された前記外部機器から相互制御可能規格に対応しているか否かを示す規格情報および前記外部機器を特定する機器種別情報を受信する受信手段と、前記受信手段で受信した前記規格情報および前記機器種別情報を前記外部機器と対応付けて記録する記録手段と、前記外部機器による映像情報を表示する表示手段と、前記表示手段に表示する映像情報の出力元の前記外部機器を選択する選択手段と、前記選択手段により、前記外部機器の中から特定の外部機器が選択された場合、前記特定の外部機器の映像情報を予め設定された特定の映像調整値および特定の画面調整値で前記表示手段に表示するように制御する制御手段とを有する。
【０００９】
また、上記課題を解決し目的を達成するために、本発明のテレビジョン表示方法は、ネットワークで接続された外部機器から相互制御可能規格に対応しているか否かを示す規格対応情報および前記外部機器の機種を特定する機器種別情報を受信し、前記受信手段で受信した前記規格対応情報および前記機器種別情報を前記外部機器ごとに対応付けて記録し、表示する映像情報の出力元として、前記外部機器から特定の外部機器が選択された場合、前記特定の外部機器の映像情報を予め設定された特定の映像調整値および特定の画面調整値で表示する。
【発明の効果】
【００１０】
本発明によれば、テレビジョン受像機に接続されたＰＣの出力映像を最適な映像調整値および画面調整値で表示することができる。
【発明を実施するための最良の形態】
【００１１】
以下、この発明の一実施例について図面を参照して詳細に説明する。図１は、この実施例で説明する情報通信端末１１の外観と、この情報通信端末１１を中心として構成されるネットワークシステムの一例を概略的に示している。
【００１２】
すなわち、情報通信端末１１（例えばデジタルテレビジョン受像機）は、主として、薄型のキャビネット１２と、このキャビネット１２を起立させて支持する支持台１３とから構成されている。そして、キャビネット１２には、例えば液晶表示パネル等でなる平面パネル型の映像表示器１４、スピーカ１５、操作部１６、リモートコントローラ１７から送信される操作情報を受ける受光部１８等が設置されている。
【００１３】
また、この情報通信端末１１には、例えばＳＤ（secure digital）メモリカード及びＭＭＣ（multimedia card）等の第１のメモリカード１９が着脱可能となっており、この第１のメモリカード１９に対して番組や写真等の情報の記録再生が行なわれるようになっている。
【００１４】
さらに、この情報通信端末１１には、例えば契約情報等の記録された半導体メモリを内蔵する第２のメモリカード［ＩＣ（integrated circuit）カード］２０が着脱可能となっており、この第２のメモリカード２０に対して情報の記録再生が行なわれるようになっている。
【００１５】
また、この情報通信端末１１は、ＬＡＮ（local area network）端子２１、第１のＨＤＭＩ端子２２、第２のＨＤＭＩ端子２３、ＵＳＢ（universal serial bus）端子２４およびｉ．ＬＩＮＫ端子２５を備えている。
【００１６】
ＬＡＮ端子２１は、ＬＡＮ対応ＨＤＤ（hard disk drive）専用ポートとして使用することができる。接続されたＮＡＳ（network attached storage）であるＬＡＮ対応のＨＤＤ２５に対して、イーサネット（登録商標）により情報の記録再生を行なうために使用される。このように、ＬＡＮ対応ＨＤＤ専用ポートとしてのＬＡＮ端子２１を設けることにより、他のネットワーク環境やネットワーク使用状況等に影響されることなく、ＨＤＤ２６に対してハイビジョン画質による番組の情報記録を安定して行なうことができる。
【００１７】
また、ＬＡＮ端子２２は、イーサネット（登録商標）を用いた一般的なＬＡＮ対応ポートとして使用することも可能で、例えばハブを介して、ＬＡＮ対応のＨＤＤ、ＰＣ（personal computer）、ＨＤＤ内臓のＤＶＤレコーダ等の機器を接続し、これらの機器と情報伝送を行なうために使用される。
【００１８】
第１のＨＤＭＩ端子２２は、ＡＶアンプ２７を介して、ＤＶＤレコーダ２８およびＤＶＤプレーヤ２９の外部機器が接続されている。
【００１９】
また、第２のＨＤＭＩ端子２３は、例えばハブ３０を介して、ＨＤＭＩ端子を有したＡＶアンプ３１、ＰＣ（personal computer）３２、ＨＤＤ内臓のＤＶＤレコーダ３３、ＤＶＤプレーヤ３４等の外部機器を接続し、これらの機器と情報伝送を行なうために使用される。第１のＨＤＭＩ端子２２および第２のＨＤＭＩ端子２３は、ＨＤＭＩ規格に準拠した形態で外部機器と情報伝送するものである。
【００２０】
さらに、この第２のＨＤＭＩ端子２３は、ハブ３０に接続されたブロードバンドルータ３５を介して、例えばインターネット等のネットワーク３６に接続し、そのネットワーク３６を介してＰＣ３７や携帯電話３８等と情報伝送を行なうために使用される。
【００２１】
ＵＳＢ端子２４は、一般的なＵＳＢ対応ポートとして使用されるもので、例えばハブ３９を介して、携帯電話４０、デジタルカメラ４１、メモリカードに対するカードリーダ／ライタ４２、ＨＤＤ４３、キーボード４４等を接続し、これらのＵＳＢ機器と情報伝送を行なうために使用される。
【００２２】
ｉ．ＬＩＮＫ端子２５は、例えばＡＶ−ＨＤＤ４５及びＤ（digital）−ＶＨＳ（video home system）４６、さらには、地上波デジタルチューナ（図示せず）等をシリアル接続し、これらの機器と情報伝送を行なうために使用される。
【００２３】
図２は、上記したデジタルテレビジョン放送受信装置１１の主要な信号処理系を示している。すなわち、ＢＳ／ＣＳデジタル放送受信用のアンテナ４７で受信した衛星デジタルテレビジョン放送信号は、入力端子４８を介して衛星デジタル放送用のチューナ４９に供給されることにより、所望のチャンネルの放送信号が選局される。
【００２４】
そして、このチューナ４９で選局された放送信号は、ＰＳＫ（phase shift keying）復調器５０に供給されて、デジタルの映像信号及び音声信号に復調された後、信号処理部５１に出力される。
【００２５】
また、地上波放送受信用のアンテナ５２で受信した地上デジタルテレビジョン放送信号は、入力端子５３を介して地上デジタル放送用のチューナ５４に供給されることにより、所望のチャンネルの放送信号が選局される。
【００２６】
そして、このチューナ５４で選局された放送信号は、ＯＦＤＭ（orthogonal frequency division multiplexing）復調器５５に供給されて、デジタルの映像信号及び音声信号に復調された後、上記信号処理部５１に出力される。
【００２７】
また、上記地上波放送受信用のアンテナ５２で受信した地上アナログテレビジョン放送信号は、入力端子５３を介して地上アナログ放送用のチューナ５６に供給されることにより、所望のチャンネルの放送信号が選局される。そして、このチューナ５６で選局された放送信号は、アナログ復調器５７に供給されてアナログの映像信号及び音声信号に復調された後、上記信号処理部５１に出力される。
【００２８】
ここで、上記信号処理部５１は、ＰＳＫ復調器５０及びＯＦＤＭ復調器５５からそれぞれ供給されたデジタルの映像信号及び音声信号に対して、選択的に所定のデジタル信号処理を施し、グラフィック処理部５８及び音声処理部５９に出力している。
【００２９】
また、上記信号処理部５１には、複数（図示の場合は４つ）の入力端子６０ａ，６０ｂ，６０ｃ，６０ｄが接続されている。これら入力端子６０ａ〜６０ｄは、それぞれ、アナログの映像信号及び音声信号を、デジタルテレビジョン放送受信装置１１の外部から入力可能とするものである。
【００３０】
そして、この信号処理部５１は、上記アナログ復調器５７及び各入力端子６０ａ〜６０ｄからそれぞれ供給されたアナログの映像信号及び音声信号を選択的にデジタル化し、そのデジタル化された映像信号及び音声信号に対して所定のデジタル信号処理を施した後、グラフィック処理部５８及び音声処理部５９に出力している。
【００３１】
このうち、グラフィック処理部５８は、信号処理部５１から供給されるデジタルの映像信号に、ＯＳＤ（on screen display）信号生成部６１で生成されるＯＳＤ信号を重畳して出力する機能を有する。このグラフィック処理部５４は、信号処理部５１の出力映像信号と、ＯＳＤ信号生成部６１の出力ＯＳＤ信号とを選択的に出力すること、また、両出力をそれぞれ画面の半分を構成するように組み合わせて出力することができる。
【００３２】
そして、グラフィック処理部５８から出力されたデジタルの映像信号は、映像処理部６２に供給される。この映像処理部６２は、入力されたデジタルの映像信号を、前記映像表示器１４で表示可能なフォーマットのアナログ映像信号に変換した後、映像表示器１４に出力して映像表示させるとともに、出力端子６３を介して外部に導出させる。
【００３３】
また、上記音声処理部５９は、入力されたデジタルの音声信号を、前記スピーカ１５で再生可能なフォーマットのアナログ音声信号に変換した後、スピーカ１５に出力して音声再生させるとともに、出力端子６４を介して外部に導出させる。
【００３４】
ここで、このデジタルテレビジョン放送受信装置１１は、上記した各種の受信動作を含むその全ての動作を制御部６５によって統括的に制御されている。この制御部６５は、ＣＰＵ（central processing unit）等を内蔵しており、前記操作部１６からの操作情報、または、前記リモートコントローラ１７から送出され受光部１８を介して受信した操作情報を受けて、その操作内容が反映されるように各部をそれぞれ制御している。
【００３５】
この場合、制御部６５は、主として、そのＣＰＵが実行する制御プログラムを格納したＲＯＭ（read only memory）６６と、該ＣＰＵに作業エリアを提供するＲＡＭ（random access memory）６７と、各種の設定情報及び制御情報等が格納される不揮発性メモリ６８とを利用している。
【００３６】
また、この制御部６５は、カードＩ／Ｆ（interface）６９を介して、前記第１のメモリカード１９が装着可能なカードホルダ７０に接続されている。これによって、制御部６５は、カードホルダ７０に装着された第１のメモリカード１９と、カードＩ／Ｆ６９を介して情報伝送を行なうことができる。
【００３７】
さらに、上記制御部６５は、カードＩ／Ｆ７１を介して、前記第２のメモリカード２０が装着可能なカードホルダ７２に接続されている。これにより、制御部６５は、カードホルダ７２に装着された第２のメモリカード２０と、カードＩ／Ｆ７１を介して情報伝送を行なうことができる。
【００３８】
また、上記制御部６５は、通信Ｉ／Ｆ７３を介してＬＡＮ端子２１に接続されている。これにより、制御部６５は，ＬＡＮ端子２１に接続されたＬＡＮ対応のＨＤＤ２６と、通信Ｉ／Ｆ７３を介して情報伝送を行なうことができる。この場合、制御部６５は、ＤＨＣＰ（dynamic host configuration protocol）サーバ機能を有し、ＬＡＮ端子２１に接続されたＬＡＮ対応のＨＤＤ２６にＩＰ（internet protocol）アドレスを割り当てて制御している。
【００３９】
さらに、上記制御部６５は、第１のＨＤＭＩ Ｉ／Ｆ７４を介して第１のＨＤＭＩ端子２２に接続されている。これにより、制御部６５は、第１のＨＤＭＩ端子２２に接続された各機器（図１参照）と、第１のＨＤＭＩ Ｉ／Ｆ７４を介して情報伝送を行なうことができる。また、上記制御部６１は、第２のＨＤＭＩ Ｉ／Ｆ７５を介して第２のＨＤＭＩ端子２３に接続されている。これにより、制御部６５は、第２のＨＤＭＩ端子２３に接続された各機器（図１参照）と、第２のＨＤＭＩ Ｉ／Ｆ７５を介して情報伝送を行なうことができる。
【００４０】
そして、上記制御部６５は、ＵＳＢ Ｉ／Ｆ７６を介して前記ＵＳＢ端子２４に接続されている。これにより、制御部６５は、ＵＳＢ端子２４に接続された各機器（図１参照）と、ＵＳＢ Ｉ／Ｆ７６を介して情報伝送を行なうことができる。
【００４１】
さらに、上記制御部６５は、ｉ．ＬＩＮＫ Ｉ／Ｆ７７を介してｉ．ＬＩＮＫ端子２５に接続されている。これにより、制御部６５は、ｉ．ＬＩＮＫ端子２５に接続された各機器（図１参照）と、ｉ．ＬＩＮＫ Ｉ／Ｆ７７を介して情報伝送を行なうことができる。
【００４２】
図３は、上記リモートコントローラ１７の外観を示している。このリモートコントローラ１７には、主として、電源キー１７ａ、入力切換キー１７ｂ、衛星デジタル放送チャンネルのダイレクト選局キー１７ｃ、地上波放送チャンネルのダイレクト選局キー１７ｄ、クイックキー１７ｅ、カーソルキー１７ｆ、決定キー１７ｇ、番組表キー１７ｈ、ページ切換キー１７ｉ、faceネット（ナビゲーション）キー１７ｊ、戻るキー１７ｋ、終了キー１７ｌ、青，赤，緑，黄のカラーキー１７ｍ、チャンネルアップダウンキー１７ｎ、音量調整キー１７ｏ、メニューキー１７ｐ等が設けられている。
【００４３】
次に、図４に示すフローチャートを用いて、情報通信端末１１に外部機器としてＰＣ３２が接続されており、ＰＣ３２が出力する映像情報を情報通信端末１１の映像表示器１４に表示する場合について説明する。
【００４４】
図１に示すように、情報通信端末１１の第１のＨＤＭＩ端子２２および第２のＨＤＭＩ端子２３に複数の外部機器が接続された状態で、制御部６５は、操作部１６またはリモートコントローラ１７による電源キー１７ａの操作を検知すると、情報通信端末１１の各部を起動状態とする。
【００４５】
制御部６５は、第１のＨＤＭＩ端子２２および第２のＨＤＭＩ端子２３に接続されている外部機器を特定する（ステップＳ１０１）。
【００４６】
制御部６５は、第１のＨＤＭＩ端子２２および第２のＨＤＭＩ端子２３に接続された外部機器に対してコマンドを送信し、そのコマンドに対する応答信号の有無によって情報通信端末１１に接続されている外部機器を特定する。
【００４７】
このとき、外部機器は、所定のタイミングで論理アドレスを含む信号を情報通信端末１１に対して送信する。論理アドレスは、０から１５の番号で定義されている。０から１５の番号のうち、１つはテレビジョン受像機、３つはレコーダ、３つはプレーヤ、１つはＡＶアンプ、６つはチューナ、残りはその他の機器として異なる番号が機器種別ごとに設定されている。外部機器は、これらの番号から、それぞれの機器に対応する番号を取得し、情報通信端末１１に対して送信する。
【００４８】
情報通信端末１１は、外部機器から送信された論理アドレスを含む信号を受信すると、制御部６１は、不揮発性メモリ６８に記録されている論理アドレスと機器種別との対応関係情報から、信号を送信した外部機器の機器種別を判断する。０から１５で定義された論理アドレス以外に、各社オリジナルで設定されたベンダーコマンドを用いることもできる。この場合、外部機器が、それぞれの機器に対応するベンダーコマンドを情報通信端末１１に対して送信する。情報通信端末１１が、ベンダーコマンドを受信した場合、制御部６５は、不揮発性メモリ６８に記録されている各ベンダーコマンドと機器種別との対応関係情報から、信号を送信した外部機器の機器種別を判断する。機器種別は、各ベンダーコマンドに応じて、ＸＸＸ（社名）レコーダやＸＸＸ（社名）プレーヤと定義されている。
【００４９】
また制御部６５は、第１のＨＤＭＩ端子２２および第２のＨＤＭＩ端子２３に接続されている外部機器の接続関係を特定するために、外部機器に対して機器番号を定義している。
【００５０】
制御部６５が第１のＨＤＭＩ端子２２および第２のＨＤＭＩ端子２３に接続された外部機器の有無を特定するために送信したコマンドに対する応答信号を第１のＨＤＭＩ Ｉ／Ｆ７４を介して受信した場合、制御部６５は、第１のＨＤＭＩ端子２２に接続された外部機器については１番と定義する。同様に、第２のＨＤＭＩ Ｉ／Ｆ７５を介して受信した場合、制御部６５は、第２のＨＤＭＩ端子２３に接続された外部機器については２番と機器番号を定義する。
【００５１】
そして、制御部６５は、接続された外部機器から送られてくる機器種別等と、機器番号とを対応づけて不揮発性メモリ６８に記録する。
【００５２】
例えば、図１に示すように第１のＨＤＭＩ端子２２に複数の機器が直列的に接続され、第１のＨＤＭＩ Ｉ／Ｆ７４を介して複数の応答信号を受信した場合および図１に示すように第２のＨＤＭＩ端子２３にハブ３０を介して並列的に接続され、第１のＨＤＭＩ Ｉ／Ｆ７４を介して複数の応答信号を受信した場合、以下のように機器番号を設定する。
【００５３】
第１のＨＤＭＩ端子２２には、ＡＶアンプ２７が接続されている。そして、ＡＶアンプ２７には、ＡＶアンプ２７に設けられた入力用ＨＤＭＩ端子にそれぞれＨＤＭＩ端子を有するＤＶＤレコーダ２８、ＤＶＤプレーヤ２９が接続されている。
【００５４】
制御部６５は、第１のＨＤＭＩ端子２２に接続された全ての機器について、１−Ｘ（Ｘは任意に設定）と機器番号を設定する。
【００５５】
例えば、制御部６５は、ＡＶアンプ２７は１−１、ＤＶＤレコーダ２８は１−２、ＤＶＤプレーヤ２９は１−３と設定する。そして、制御部６５は、ＡＶアンプ２７から送信される信号に含まれる情報は、機器番号１−１と対応付けて不揮発性メモリ６８に記録する。同様に、制御部６５は、ＤＶＤレコーダ２８から送信される信号に含まれる情報は、機器番号１−２と対応付けて、ＤＶＤプレーヤ２９から送信される信号に含まれる情報は、機器番号１−３と対応付けて、不揮発性メモリ６８に記録する。
【００５６】
また制御部６５は、第２のＨＤＭＩ端子２３に接続された全ての機器について、２−Ｘ（Ｘは任意に設定）と機器番号を設定する。例えば、ＡＶアンプ３１は２−１、ＰＣ３２は２−２、ＤＶＤレコーダ３３は２−３、ＤＶＤプレーヤ３４は２−４と設定する。そして、制御部６５は、ＡＶアンプ３１から送信される信号に含まれる情報は、機器番号２−１と対応付けて不揮発性メモリ６８に記録する。同様に、制御部６５は、ＰＣ３２から送信される信号に含まれる情報は、機器番号２−２と対応付けて、ＤＶＤレコーダ３３から送信される信号に含まれる情報は、機器番号２−３と対応付けて、ＤＶＤプレーヤ３４から送信される信号に含まれる情報は、機器番号２−４と対応付けて、不揮発性メモリ６８に記録する。また、各外部機器は、情報通信端末１１に対して、各々の型名情報も送信する。制御部６５は、不揮発性メモリ６８に、任意に設定した機器番号、機器種別、型名を対応付けて記録する。
【００５７】
次に、制御部６５は、ＨＤＭＩ端子２２および第２のＨＤＭＩ端子２３に接続されている外部機器に対して、ＣＥＣ対応か非対応かの返信を要求する信号を送信する（ステップＳ１０３）。
【００５８】
外部機器がＣＥＣ対応であれば、ＨＤＭＩ−ＣＥＣコマンドを利用して、情報通信端末１１に対してユーザがリモートコントローラ１７で操作することで、ＣＥＣ対応の外部機器を連動操作することができる。
【００５９】
そして、制御部６５は、ＨＤＭＩ端子２２および第２のＨＤＭＩ端子２３に接続されている外部機器から返信された信号を基にして、それぞれの外部機器がＣＥＣ対応か非対応かを判断する。そして、制御部６５は、任意に設定した機器番号、機器種別、型名、ＣＥＣ対応か否か（ＨＤＭＩ連動か否か）を対応付けたＨＤＭＩ情報を全ての外部機器についての情報であるＨＤＭＩ入力一覧情報を不揮発性メモリ６８に記録する（ステップＳ１０４）。
【００６０】
ここで、第２のＨＤＭＩ端子２３にハブ３０を介して接続されているＡＶアンプ３１はＣＥＣ非対応、ＰＣ３２はＣＥＣ対応、ＤＶＤレコーダ３３はＣＥＣ対応、ＤＶＤプレーヤ３４はＣＥＣ非対応とする。
【００６１】
そのため、不揮発性メモリ６８は、例えば、ＡＶアンプ３１については、機器番号を２−１、機器種別をＡＶアンプ、型名をＤＴＸ−５．８、ＣＥＣ非対応なので、ＨＤＭＩ連動はなしとして記録する。ＰＣ３２については、機器番号を２−２、機器種別をＸＸＸ（社名）ＰＣ、型名をａｂｃｄ−ｅ１０、ＣＥＣ対応なので、ＨＤＭＩ連動はありとして記録する。同様に、情報通信端末１１にＨＤＭＩ接続されている全ての外部機器についてＨＤＭＩ入力一覧情報を表示する。ＤＶＤレコーダ３３については、機器番号を２−３、機器種別をＸＸＸ（社名）レコーダ、型名をＲＤ−Ａ６００、ＣＥＣ対応なので、ＨＤＭＩ連動はありとして記録する。ＤＶＤプレーヤ３４については、機器番号を２−４、機器種別をＸＸＸ（社名）プレーヤ、型名をＨＤ−Ａ２、ＣＥＣ非対応なので、ＨＤＭＩ連動はなしとして記録する。
【００６２】
制御部６５は、リモートコントローラ１７による所定の操作を検知すると、映像表示器１４に図５に示すようなＨＤＭＩ入力一覧情報を不揮発性メモリ６８から読み出して表示することができる。
【００６３】
ＨＤＭＩ入力一覧情報は、（機器番号、機器種別、型名、ＨＤＭＩ連動の可否）の順で、（２−１、ＡＶアンプ、ＤＴＸ−５．８、ＨＤＭＩ連動）、（２−２、ＸＸＸ（社名）ＰＣ、ａｂｃｄ−ｅ１０、ＨＤＭＩ連動）、（２−３、ＸＸＸ（社名）レコーダ、ＲＤ−Ａ６００、ＨＤＭＩ連動）、（２−４、ＸＸＸ（社名）プレーヤ、ＨＤ−Ａ２）と表示される。ＨＤＭＩ連動の可能の場合は、ＨＤＭＩ連動を表示し、ＨＤＭＩ連動が不可の場合は、ＨＤＭＩ連動を表示しない。
【００６４】
ユーザは、ＨＤＭＩ入力一覧情報の表示画面上で、リモートコントローラ１７のカーソルキー１７ｆを用いて、入力信号を映像表示器１４に表示したい所望の外部機器を選択することができる。制御部６５は、入力一覧情報の表示画面上で、ユーザが所望の外部機器のＨＤＭＩ情報をリモートコントローラ１７の決定キー１７ｇによる入力を検知したとき、映像表示器１４の表示画面を選択された外部機器の入力信号を表示し、対応する外部機器のＨＤＭＩ情報も不揮発性メモリ６８から取得して表示する。
【００６５】
ここで、ユーザが、例えば、ＤＶＤレコーダ３３が出力する映像情報を映像表示器１４で表示するように、ＨＤＭＩ入力一覧情報から機器番号が２−３の欄を選択すると、制御部６５は、ＤＶＤレコーダ３３から送信される映像情報を映像表示器１４に表示制御すると共に、映像表示器１４の任意の位置（例えば、図５に示すように右上端）にＤＶＤレコーダ３３についてのＨＤＭＩ情報を表示する。
【００６６】
このとき、図５に示すように、制御部６５は、不揮発性メモリ６８に記録されているＨＤＭＩ入力一覧情報のうち、ＤＶＤレコーダ３３についてのＨＤＭＩ情報として、機器番号を２−３、機器種別をＸＸＸ（社名）レコーダ、型名をＲＤ−Ａ６００、ＨＤＭＩ連動を視認できるように映像表示器１４に表示する。
【００６７】
ここで、制御部６５は、リモートコントローラ１７による所定の操作を検知すると、映像表示器１４に図５に示すようにＨＤＭＩ入力一覧情報を不揮発性メモリ６８から読み出して表示することができる。
【００６８】
ＨＤＭＩ入力一覧情報は、（機器番号、機器種別、型名、ＨＤＭＩ連動の可否）の順で、（２−１、ＡＶアンプ、ＤＴＸ−５．８、ＨＤＭＩ連動）、（２−２、ＸＸＸ（社名）ＰＣ、ａｂｃｄ−ｅ１０、ＨＤＭＩ連動）、（２−３、ＸＸＸ（社名）レコーダ、ＲＤ−Ａ６００、ＨＤＭＩ連動）、（２−４、ＸＸＸ（社名）プレーヤ、ＨＤ−Ａ２）と表示される。ＨＤＭＩ連動の可能の場合は、ＨＤＭＩ連動と文字表示し、ＨＤＭＩ連動が不可の場合は、ＨＤＭＩ連動と文字表示しない。
【００６９】
ユーザは、ＨＤＭＩ入力一覧情報の表示画面上でリモートコントローラ１７のカーソルキー１７ｆを用いて、映像情報を映像表示器１４に表示したい所望の外部機器を選択することができる。制御部６５は、入力一覧情報の表示画面上で、ユーザが所望の外部機器のＨＤＭＩ情報がリモートコントローラ１７の決定キー１７ｇで決定されたと検知したとき、映像表示器１４に選択された外部機器が出力する映像信号を表示する。そして、制御部６５は、選択された外部機器に対応する外部機器のＨＤＭＩ情報も不揮発性メモリ６８から取得して表示する。
【００７０】
ここで、ユーザが図５に示すＨＤＭＩ入力一覧情報の画面上で、ＰＣ３２に対応するＨＤＭＩ情報（２−２、ＸＸＸ（社名）ＰＣ、ａｂｃｄ−ｅ１０、ＨＤＭＩ連動）を選択したとする。制御部６５は、映像表示器１４に表示する映像をＰＣ３２が出力する映像情報に切り換える（ステップＳ１０５）。-
制御部６５は、ＰＣ３２が出力する映像情報を映像表示器１４に表示するとき、最適な映像調整値および画面調整値に切り換えて出力するように制御する（ステップＳ１０６）。図６は、映像表示器１４にＰＣ３２が出力した映像情報を表示した場合の画面表示を示した図である。
【００７１】
最適な映像調整値は、情報通信端末１１が設置されている環境、情報通信端末１１の映像表示器１４で表示する映像情報に応じて任意に設定できる。ユーザは、リモートコントローラ１７のメニューキー１７ｐで映像モード選択表示画面の表示を情報通信端末１１に指示することで、制御部６５は、不揮発性メモリ６８に記録されている映像モード選択表示画面を読み出して映像表示器１４に表示する。
【００７２】
映像モードは、例えば、あざやかモード、標準モード、映画モード、ゲームモード、ＰＣファインモードがある。あざやかモードは、情報通信端末１１を明るい環境下で視聴するときに適する。標準モードは、情報通信端末１１を通常の環境下で視聴するときに適する。映画モードは、暗い環境下で情報通信端末１１で映画を視聴する場合に適する。ゲームモードは、外部機器として接続されたゲーム機の映像情報を情報通信端末１１の映像表示器１４にタイムラグを減らして表示するため、ゲームをする場合に適する。ＰＣファインモードは、外部接続されたＰＣ３２の文字等の映像情報を出力するために、明るさ、色彩、コントラストを調整するため、ＰＣ３２の映像情報を映像表示器１４で見るときに適する。そして、制御部６１は、映像処理部６２に対して、映像モードの選択に応じた表示形式に変換するように制御する。
【００７３】
また、画面調整値は、情報通信端末１１の映像表示器１４で表示している映像に応じて、任意に設定できる。ユーザは、リモートコントローラ１７のメニューキー１７ｐで映像モード選択表示画面の表示を情報通信端末１１に指示することで、制御部６５は、不揮発性メモリ６８に記録されている画面表示モード選択表示画面を読み出して映像表示器１４に表示する。
【００７４】
画面表示モードは、オーバースキャンモード、ジャストスキャンモードがある。オーバースキャンモードは、ＢＳ／ＣＳデジタル放送受信用のアンテナ４７で受信した衛星デジタルテレビジョン放送信号、地上波放送受信用のアンテナ５２で受信した地上デジタルテレビジョン放送信号を信号処理部５１等を介して映像表示器１４に表示する場合や、ＤＶＤプレーヤ３４で再生される映像情報を映像表示器１４に表示する場合に適する。これらの映像情報は、画像データの上端等には映像以外の情報が含まれているため、映像表示器１４に表示する映像情報全体を９０パーセントにスケーリングして映像表示器１４に表示することで、ユーザが視聴に際して不快のないようにしている。
【００７５】
これに対して、ジャストスキャンモードは、ＰＣ３２が出力する映像情報を映像表示器１４に表示する場合に適する。これは、ＰＣ３２が出力する映像情報は、アンテナ４７、アンテナ５２で受信する信号に含まれる映像情報とは異なり、オーバースキャンで映像表示器１４に表示すると、ＰＣ３２で出力する映像情報の外枠が消えてしまう。そのため、映像表示器１４は、映像情報を１００パーセントのスケーリングの状態で表示する必要がある。そして、制御部６５は、映像処理部６２に対して、画面表示モードの選択に応じた表示形式に変換するように制御する。
【００７６】
ここで、制御部６５は、映像表示器１４に表示する映像をＰＣ３２が出力する映像情報に切り換えたので、この場合の最適の映像調整値は、映像モードとしてＰＣファインモードが選択された場合であり、最適の画像調整値は、画像表示モードとしてジャストスキャンモードが選択された場合である。
【００７７】
制御部６５は、ＨＤＭＩ入力一覧情報を不揮発性メモリ６８に記憶している。そのため、（２−２、ＸＸＸ（社名）ＰＣ、ａｂｃｄ−ｅ１０、ＨＤＭＩ連動）のＨＤＭＩ情報が選択されたことを制御部６５が検知すると、制御部６５は、映像表示器１４に表示する映像情報の出力元がＰＣ３２と判断する。ここで、ＰＣ３２が出力する映像情報の最適の映像調整値は、映像モードがＰＣファインモード、最適の画像調整値は、画像表示モードがジャストスキャンモードであると情報通信端末１１の出荷時または後からユーザによって設定されてＲＯＭ６６または不揮発性メモリ６８に記録されている。制御部６５は、映像処理部６２に対して映像モードをＰＣファインモード、画像表示モードがジャストスキャンモードに対応した表示形式でＰＣが出力する映像情報を図６に示すように映像表示器１４に表示するように制御する。
【００７８】
このため、ユーザは、ＰＣ３２が出力する映像情報を映像表示器１４に表示するように切り換えた場合、最適な映像モードおよび画像表示モードを手動で切り換える必要がなくなる。そのため、ユーザが何らかの処理をしなくても最適な表示形式で映像表示器１４に表示され、ユーザの利便性が向上する。
【００７９】
そして、制御部６５は、図６に示すように、映像表示器１４にＰＣが出力する映像情報の映像モードをＰＣファインモードとして表示している旨を文字表示する。そのため、ユーザは、ＰＣが出力する映像情報が最適な映像モードで映像表示器１４に表示されていることを容易に視認することができる。そのため、ユーザにとって映像モードの操作をする煩雑さが低減する。
【００８０】
また、ここでは、ＰＣ３２が出力する映像情報を映像表示器１４に表示するように切り換えた場合について説明したが、外部機器としてゲーム機が第１のＨＤＭＩ端子２２に接続され、制御部６５が、ゲーム機のＨＤＭＩ情報を取得した場合も同様である。つまり、ユーザが、ゲーム機が出力する映像情報を映像表示器１４に表示するように切り換えを選択した場合、制御部６５は、ゲーム機が選択されたことを検知し、映像モードをゲームモードに切り換えて表示するように映像処理部６２を制御することもできる。
【００８１】
上記制御部６５による処理は、ＨＤＭＩ端子２２および第２のＨＤＭＩ端子２３以外のＬＡＮ端子２１、ＵＳＢ端子２４、ｉ．ＬＩＮＫ端子２５に接続された機器に対しても、ＣＥＣと同様の機能を有するものに対して同様である。
【００８２】
本発明は、前記実施形態そのままに限定されるものではなく、実施段階ではその要旨を逸脱しない範囲で構成要素を変形して具体化できる。また、前記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００８３】
【図１】本発明の一実施の形態に係る情報通信端末及び周辺機器の構成を示すブロック図。
【図２】同実施の形態に係る情報通信端末の内部構成を示すブロック図。
【図３】同実施の形態における情報通信端末のリモートコントローラを説明するために示す外観図。
【図４】同実施の形態における情報通信端末による外部機器の特定を説明するフローチャート。
【図５】同実施の形態における情報通信端末の映像表示器を示す図。
【図６】同実施の形態における情報通信端末の映像表示器を示す図。
【符号の説明】
【００８４】
１１…情報通信端末、１２…キャビネット、１３…支持台、１４…映像表示器、１５…スピーカ、１６…操作部、１７…リモートコントローラ、１８…受光部、１９…第１のメモリカード、２０…第２のメモリカード、２１…ＬＡＮ端子、２２…第１のＨＤＭＩ端子、２３…第２のＨＤＭＩ端子、２４…ＵＳＢ端子、２５…ｉ．Link端子、２６…ＨＤＤ、２７…ＡＶアンプ、２８…ＤＶＤレコーダ、２９…ＤＶＤプレーヤ、３０…ハブ、３１…ＡＶアンプ、３２…ＰＣ、３３…ＤＶＤレコーダ、３４…ＡＶアンプ、３５…ブロードバンドルータ、３６…ネットワーク、３７…ＰＣ、３８…携帯電話、３９…ハブ、４０…携帯電話、４１…デジタルカメラ、４２…カードリーダ／ライタ、４３…ＨＤＤ、４４…キーボード、４５…ＡＶ−ＨＤＤ、４６…Ｄ−ＶＨＳ、４３…ＤＶＤレコーダ、４４…ＤＶＤプレーヤ、４５…ＤＶＤプレーヤ、４６…ＨＤＤ、４７…アンテナ、４８…入力端子、４９…チューナ、５０…ＰＳＫ復調器、５１…信号処理部、５２…アンテナ、５３…入力端子、５４…チューナ、５５…ＯＦＤＭ復調器、５６…チューナ、５７…アナログ復調器、５８…グラフィック処理部、５９…音声処理部、６０ａ〜６０ｄ…入力端子、６１…ＯＳＤ信号生成部、６２…映像処理部、６３…出力端子、６４…出力端子、６５…制御部、６６…ＲＯＭ、６７…ＲＡＭ、６８…不揮発性メモリ、６９…カードＩ／Ｆ、７０…カードホルダ、７１…カードＩ／Ｆ、７２…カードホルダ、７３…通信Ｉ／Ｆ、７４…第１のＨＤＭＩＩ／Ｆ、７５…第２のＨＤＭＩ Ｉ／Ｆ、７６…ＵＳＢＩ／Ｆ、７７…ｉ．Link Ｉ／Ｆ。
【図１】
0005150158.tif 000002
【図２】
0005150158.tif 000003
【図３】
0005150158.tif 000004
【図４】
0005150158.tif 000005
【図５】
0005150158.tif 000006
【図６】
0005150158.tif 000007